(57)【要約】【課題】電子レンジの庫内の調理物の状況を安全に鮮明に見えるようにすることにより、調理の状況を見ながら調理を進められるようにする。【解決手段】加熱室３と、加熱室を開閉するドア５を備え、前記ドアはガラス板6、７と、透明な耐熱性樹脂シート８に可視光領域において透明な導電性酸化物膜９を設けて構成した透明遮蔽板１３とからなるとともに、導電性酸化物膜９と筐体１を電気的に接続した構成としてあり、マイクロ波の漏洩なしに庫内を鮮明に見ることができ、さらにガラス板が壊されたとしても耐熱性樹脂シートで構成された透明遮蔽板まで壊れることは少ないので安全性が高くできるものである。【選択図】図１
2008060015.tif 000002
【特許請求の範囲】
【請求項１】
加熱室と、加熱室を開閉するドアを備え、前記ドアはガラス板と、透明な耐熱性樹脂シートに可視光領域において透明な導電性酸化物膜を設けて構成した透明遮蔽板とからなるとともに、導電性酸化物膜と筐体を電気的に接続した電子レンジ。
【請求項２】
内外にガラス板を備え、この内外のガラス板に挟まれた透明遮蔽板が、ガラス板間の中央より外側に近い位置に配置されることを特徴とする請求項１記載の電子レンジ。
【請求項３】
ガラス板内部に金属線を配置したことを特徴とする請求項１記載の電子レンジ。
【請求項４】
ガラス板に挟まれた透明遮蔽板が、外側のガラス板に密着して配置されたことを特徴とする請求項２または３記載の電子レンジ。
【発明の詳細な説明】
【技術分野】
【０００１】
本発明は、一般家庭あるいは業務用で使用されている電子レンジにおける視認性の改良に関するものである。
【背景技術】
【０００２】
従来、電子レンジは窓からマイクロ波が漏洩しないように、２枚のガラスの間にマイクロ波を漏洩させないための遮蔽板（例えば、パンチングメタル、金網等）が挟まれた構成としている。しかしながら、遮蔽板はマグネトロンから発せられる２．４５ＧＨｚのマイクロ波が庫外に漏洩するのを防止するために決まった開口率以上に大きく取れず、電子レンジ内部の様子が見にくかった。
【０００３】
このような課題を解決するものとして、電子レンジの窓ガラス基材の上に導電性酸化物膜層を形成し、可視光領域を透明にする窓を設けることにより、パンチングメタルで構成されたものと比較し、庫内の状況を鮮明に見えるようにしたものがあった（特許文献１）。
【０００４】
この構成のものは、マグネトロンより発せられたマイクロ波が、ガラス基材上に設けられた導電性酸化物膜層により、反射あるいは吸収されて熱となり、電子レンジ庫内から外へ漏洩しないようになっている。
【特許文献１】特開平０９−４８６４０号公報
【発明の開示】
【発明が解決しようとする課題】
【０００５】
しかしながら、前記従来のガラス基板上に導電性酸化物膜層を構成した窓では、ガラスが割れたときに、マイクロ波が庫外へ漏洩する危険性が大きくなる。また、大きな面積に導電性膜を構成するためには、製造装置も大きくなり、さらに膜にピンホールがあればマイクロ波が漏洩する可能性があるので大きな面積にピンホール無く導電性酸化物膜層を形成することは非常困難なこととなる。
【０００６】
本発明は、上記従来の課題を解決するもので、簡単な構成でマイクロ波の漏洩を防ぐことができ、庫内の視認性も良く、ガラスの割れの虞が少なくて安全性も高い電子レンジを提供することを目的とする。
【課題を解決するための手段】
【０００７】
本発明は上記目的を達成するため、加熱室と、加熱室を開閉するドアを備え、前記ドアはガラス板と、透明な耐熱性樹脂シートに可視光領域において透明な導電性酸化物膜を設けて構成した透明遮蔽板とからなるとともに、導電性酸化物膜と筐体を電気的に接続した構成としたものであり、電子レンジ庫内の視認性は向上し、安全性も高められる。
【発明の効果】
【０００８】
本発明の電子レンジは、調理をしている際に電子レンジ庫内の視認性が良く調理物の状態がはっきりと観察できるとともに、マイクロ波の漏洩の恐れがなく、かつ安全性も高くすることができる。
【発明を実施するための最良の形態】
【０００９】
第１の発明は、加熱室と、加熱室を開閉するドアを備え、前記ドアはガラス板と、透明な耐熱性樹脂シートに可視光領域において透明な導電性酸化物膜を設けて構成した透明遮
蔽板とからなるとともに、導電性酸化物膜と筐体を電気的に接続した構成としたものであり、マイクロ波の漏洩なしに庫内を鮮明に見ることができ、さらにガラス板が壊されたとしても耐熱性樹脂シートで構成された透明遮蔽板まで壊れることは少ないので安全性が高くできるものである。
【００１０】
第２の発明は、内外にガラス板を備え、この内外のガラス板に挟まれた透明遮蔽板を、ガラス板間の中央より外側に近い位置に配置することで、庫内の温度が３００℃になるオーブンを有するオーブンレンジにおいては、透明遮蔽板を熱から遠ざけられるので透明遮蔽板の材質の選択肢が多くなり、また設置された透明遮蔽板にも熱の影響が少なくなるので耐久性が向上するものである。
【００１１】
第３の発明は、ガラス板内部に金属線を配置したことによって、ガラスが、壊されたときに透明遮蔽板まで壊されることが少なくなるので、安全性をさらに向上させることができるものである。
【００１２】
第４の発明は、ガラス板に挟まれた透明遮蔽板を、外側のガラス板に密着して配置することによって、透明遮蔽板の熱がガラスを通して外に出ていきやすくなるので、透明遮蔽板の温度が低くなり耐久性が向上するものである。
【００１３】
以下、本発明の実施の形態について、図面を参照しながら説明する。なお、この実施の形態によって本発明が限定されるものではない。
【００１４】
（実施の形態１）
図１は本発明の第１の実施例の形態における電子レンジの断面図である。図１において、電子レンジの筐体１で囲まれた加熱室３中に食材２が置かれ、マグネトロン４より発生されるマイクロ波によって食材２は加熱されるものである。このとき、マグネトロン４から発生したマイクロ波は、加熱室全体に広がり、筐体１で反射されることによって外部へ漏れないようになっている。電子レンジの前面に食材を出し入れするためと加熱室３の食材２の状況を確認するためのドア５がある。
【００１５】
ドア５は、内側ガラス板６及び外側ガラス７板と、それらの間に設けられ透明耐熱性樹脂シート８に可視光領域で透明な導電性酸化物膜９を設けて構成した透明遮蔽板１３とから構成されている。また、透明遮蔽板支持部１０は、透明耐熱性樹脂シート８と導電性酸化物膜９で構成された透明遮蔽板１３を支えるものである。 さらに、透明耐熱性樹脂シート８上に形成された導電性酸化物膜９は、電気的に下チョーク溝１１と上チョーク溝１２によって電子レンジの筐体１に電気的に接続されている。透明耐熱性樹脂シートとして、例えば、ポリカーボネート、ポリエチレンテレフタレート、ポリエーテルエーテルケトン、ポリエーテルスルホン、ポリアクリロニトリル、ポリシクロオレフィン等がある。また、導電性酸化物膜９としては、酸化インジウムに酸化錫を添加したものあるいは、酸化錫化合物にアンチモン、フッ素を添加したものあるいは、酸化亜鉛にアルミニウムを添加したもののうち少なくとも１種類を成分とする。
【００１６】
上記構成において、マグネトロン４で発生したマイクロ波の一部は、加熱室３から内側ガラス板６を通過して透明遮蔽板１３の表面に形成されている導電性酸化物膜９到達すると、一部は反射され一部は吸収され熱となることによりマイクロ波は、電子レンジから外に出ないように構成されている。透明遮蔽板１３は、可視光領域で透明であるので、加熱室３にある食材２を調理中も確認することができるものである。また、透明遮蔽板１３は、内側ガラス板６と外側ガラス板７によって挟まれた構成になっているので、万が一何らかの衝撃でどちらかのガラスが割れても透明遮蔽板１３の透明耐熱性樹脂の表面に形成されているので、ガラスより衝撃に強く、導電性酸化物膜９が壊されることは少ないので、マイクロ波が漏れることも少なく安全である。
【００１７】
また、内側ガラス板６と外側ガラス板７の間に挟まれている透明遮蔽板１３を設置する位置をガラス板間の中央よりも外側ガラス板７の方に近い側に設置することによって、オーブン機能がついた電子レンジの場合にオーブン調理時の熱を伝えにくくすることができ、透明遮蔽板１３の材質の選択しが多くなり、また設置された透明遮蔽板にも熱の影響が少なくなるので耐久性が向上するものである。
【００１８】
（実施の形態２）
図２は本発明の第２の実施の形態におけるドアガラス板部分の概略図である。この実施の形態では、内側ガラス板６及び外側ガラス板７のうち少なくともどちらか一方の内部に金属線１４を配置してある。これにより、衝撃でガラスが壊れたときに内部に配置している透明遮蔽板１３を保護できるものである。
【００１９】
（実施の形態３）
図３は本発明の第３の実施の形態におけるドア要部の断面図である。この実施の形態において、  電子レンジの加熱室３は、筐体１及びドア５により外部と仕切られており、透明遮蔽板１３は外側ガラス板７に密着するように設置してある。これにより、オーブン調理時あるいはマイクロ波を吸収して発熱した場合の熱を外側ガラス板７を通して外に放散させやすくなるので、透明遮蔽板１３の温度を低く維持でき耐久性が向上するものである。なお、導電性酸化物膜９は、上チョーク溝１２によって、筐体１へ電気的に接続されている。
【産業上の利用可能性】
【００２０】
以上のように、本発明の電子レンジは、電子レンジ庫内の視認性が良く調理物の状態がはっきりと観察できるとともに、マイクロ波の漏洩の恐れがなく、かつ安全性も高くすることができる。
【図面の簡単な説明】
【００２１】
【図１】本発明の実施の形態１を示す電子レンジの断面図
【図２】同実施の形態２におけるドアガラス板部分の概略図
【図３】同実施の形態３におけるドア要部の断面図
【符号の説明】
【００２２】
１  筐体
２  食材
３  加熱室
４  マグネトロン
５  ドア本体
６  内側ガラス板
７  外側ガラス板
８  透明耐熱性樹脂シート
９  導電性酸化物膜
１０  透明遮蔽板支持部
１１  下チョーク溝
１２  上チョーク溝
１３  透明遮蔽板
１４  金属線
【図１】
2008060015.tif 000003
【図２】
2008060015.tif 000004
【図３】
2008060015.tif 000005